(57)【要約】      （修正有）【課題】ユーザーが簡単かつ速やかに制作することができるアルバム制作システムを提供する。【解決手段】アルバム制作システムは、処理装置１０、表示装置２０、ユーザーインターフェース３０及び出力装置４０を備え、処理装置１０は更に設計ソフトウェア１５を内蔵する。ユーザーが、ユーザーインターフェース３０により設計ソフトウェア１５を操作し、アルバムの内部ページ様式とデジタル写真とを選択して編集し、編集し終えた全てのデジタル写真を出力保存し、速やかに自分の思うとおりのアルバムを制作することができる。【選択図】図１Ｂ
0003165538.tif 000002
【実用新案登録請求の範囲】
【請求項１】
デジタル写真の貼付が可能な１つ以上の貼付プリフレーム（５１）を有する内部ページ様式（５０）の編成およびデジタル写真の編集が可能な設計ソフトウェア（１５）を内蔵し、前記内部ページ様式（５０）とデジタル写真との論理演算処理、保存処理および出力処理を実行可能な処理装置（１０）と、
前記処理装置（１０）に接続され、前記処理装置（１０）および前記設計ソフトウェア（１５）の操作画面を表示する表示装置（２０）と、
前記処理装置（１０）に接続され、前記処理装置（１０）および前記設計ソフトウェア（１５）を操作するユーザーインターフェース（３０）と、
前記処理装置（１０）に接続され、編集後の内部ページ様式（５０）とデジタル写真とを出力可能な出力装置（４０）と、
を備えることを特徴とするアルバム制作システム。
【請求項２】
前記処理装置（１０）は、末端のサーバー本体、コンピュータ、携帯電話のうちの１つ以上であり、
前記表示装置（２０）は、液晶表示装置、プラズマ表示装置又はタッチディスプレイのうちの１つ以上であり、
前記ユーザーインターフェース（３０）は、キーボード、マウス又はタッチディスプレイのうちの１つ以上であり、
前記出力装置（４０）は、プリント装置、記憶装置、又はインターネットを介した遠隔保存および表示およびプリント装置のうちの１つ以上であることを特徴とする請求項１に記載のアルバム制作システム。
【請求項３】
前記出力装置（４０）は、内部ページ様式（５０）および編集修正後のデジタル写真をインターネットを介して遠隔保存および表示することを特徴とする請求項１に記載のアルバム制作システム。
【請求項４】
内部ページ様式（５０）および編集修正後のデジタル写真をダウンロード又は転送保存可能なポータブル記憶装置を備えることを特徴とする請求項１に記載のアルバム制作システム。
【考案の詳細な説明】
【技術分野】
【０００１】
本考案はアルバム制作システムに関する。
【背景技術】
【０００２】
近年デジタル画像技術が年々進歩している影響で、目下のところ、静態画像の保存はデジタル写真を主体としているが、こうしたデジタル写真はユーザーがコンピュータ表示装置、デジタルカメラ或いはデジタルフレーム上で直接閲覧が可能である。
【考案の概要】
【考案が解決しようとする課題】
【０００３】
しかしながら、前述した従来の技術では、依然として容易に画像を修正し、編集することができない欠点があり、フォトショップやフォトインパクト等といった、デジタル写真に拡大、縮小、局部取込み、背景調整等の編集を行なうことができ、さらに編集後のデジタル写真を出力する機能を備えた多くの編集専門ソフトウェアが市販されているものの、こうしたソフトウェアの編集を学ぶのはそれなりに難しく、またプロセスにも時間が掛かり過ぎる。そのうえ、アルバムの完成には、一様に全ての写真を現像した上で、写真を見当のつかないまま並べ終えないとその成果が分からず、効率面で簡便性や利便性がないといった問題があった。
【０００４】
本考案は、このような従来の問題に鑑みてなされたものである。上記課題を解決するため、本考案は、ユーザーが自分の思うとおりのアルバムを速やかに制作することができるアルバム制作システムを提供することを目的とする。
【課題を解決するための手段】
【０００５】
前記目的を達するため、本考案は、内部ページ様式とデジタル写真との論理演算処理、保存処理および出力処理を実施可能で、内部ページ様式の編成およびデジタル写真の編集が可能な設計ソフトウェアを内蔵した処理装置と、処理装置に接続され、処理装置および設計ソフトウェアの操作画面を表示する表示装置と、処理装置に接続され、処理装置および設計ソフトウェアを操作するユーザーインターフェースと、処理装置に接続され、編集後の内部ページ様式とデジタル写真とを出力可能な出力装置とを備える。
【０００６】
内部ページ様式は、デジタル写真の貼付が可能な１つ以上の貼付プリフレームを有する。ユーザーがユーザーインターフェースにより内部ページ様式の１つ以上の貼付プリフレームを選ぶと、写真選択画面が起動され、デジタル写真を貼付プリフレーム内に選択して貼付することができる。選択されたデジタル写真は、貼付プリフレームのサイズに合わせて自動調整し、記録される。ユーザーが編成し終えた内部ページ様式を保存し、編集後のデジタル写真を保存すると同時に、新しい保存アドレス内にも保存し、デジタルアルバムの制作を完了させる。また、必要な写真を直接現像することにより、ユーザーが自分の思いどおりの実際の写真アルバムを速やかに制作することができる。
【図面の簡単な説明】
【０００７】
【図１Ａ】本考案の一実施形態によるアルバム制作システムの外観図である。
【図１Ｂ】本考案の一実施形態によるアルバム制作システムのブロック図である。
【図２】本考案の一実施形態によるアルバム制作システムの内部ページ様式を自作する際の使用状態図である。
【図３】本考案の一実施形態によるデジタル写真を編集する際の使用状態図である。
【図４】本考案の一実施形態によるアルバム制作のフローチャートである。
【図５】本考案の一実施形態による内部ページ様式を選択する際の使用状態図である。
【考案を実施するための形態】
【０００８】
（一実施形態）
以下、本考案の一実施形態によるアルバム制作システムを図面に基づいて詳細に説明する。なお、本考案は、以下に説明する実施形態に限定されるものではない。
本考案の一実施形態によるアルバム制作システムは、図１Ａ、１Ｂに示すように、処理装置１０、表示装置２０、ユーザーインターフェース３０及び出力装置４０を備える。
【０００９】
処理装置１０は、端末サーバー本体、コンピュータ、携帯電話等のうちの１つ以上の有線又はワイヤレスでの情報伝送が可能な装置であり、内部ページ様式５０の編成およびデジタル写真の編集が可能な設計ソフトウェア１５を内蔵する。設計ソフトウェア１５は、内部ページ様式５０のテンプレートを編成、保存し、内部ページ様式５０内のアルバムフレームの形状、拡大、縮小、回転又はドラッグ等を制御することができ（図２参照）、更にデジタル写真の編集を行なうことが可能で、デジタル写真の拡大、縮小、文字の増減、絵筆、局部取込み、背景調整又は着色等の制御が可能である（図３参照）。
【００１０】
表示装置２０は、処理装置１０に接続され、処理装置１０および設計ソフトウェア１５の操作画面、デジタル写真、及び編集、編成処理画面等を表示することができる。表示装置２０は、液晶表示装置、プラズマ表示装置、又はタッチディスプレイのうちの１つ以上である。
【００１１】
ユーザーインターフェース３０は、処理装置１０に接続され、処理装置１０および設計ソフトウェア１５を操作する。ユーザーインターフェース３０は、キーボード、マウス、又はタッチディスプレイのうちの１つ以上である。
【００１２】
出力装置４０は、処理装置１０に接続され、編成後の内部ページ様式とデジタル写真とを出力する。出力装置４０は、プリント装置４１、記憶装置４２、又はインターネットを介した遠隔保存および表示およびプリント装置４３のうちの１つ以上である。
【００１３】
これにより、図４に示すように、ユーザーは、アルバム制作システムを起動し、写真をアップロードし、内部ページ様式を選択し、又は内部ページ様式を編集し、内部ページ様式内のデジタル写真を選択し、選択済みのデジタル写真を編集及び保存し、デジタル写真アルバムを完成させるか、又は編集後のデジタル写真を直接現像して実際の写真アルバムにすることができる。
【００１４】
起動のステップにおいては、先ず処理装置１０内の設計ソフトウェア１５を起動させる。データの安全性を高めるため、設計ソフトウェア１５を起動するためには、アカウントとパスワード、又は生物学的特徴（例えば、指紋、網膜）が必要なセーフガードプログラムを設計することができる。
【００１５】
写真のアップロードのステップにおいては、撮影したデジタル写真を処理装置１０内の特定のアドレスにアップロードして保存する。
【００１６】
内部ページ様式の選択又は内部ページ様式の編集のステップにおいては、設計ソフトウェア１５の起動が完了後、ユーザーインターフェース３０で使用しようとする内部ページ様式５０を選択する（図５参照）。内部ページ様式５０は、事前に市販の写真アルバムの内部ページに応じて設定されたテンプレートを有し、図２のように、写真の貼付が可能な１つ以上の貼付プリフレーム５１を有する。又は、内部ページ様式５０は、ユーザーが自作したものとしてもよい。自作した内部ページ様式５０は、内部ページ編成制御部材５５を起動することができる。内部ページ編成制御部材５５は、貼付プリフレーム５１の位置、形状、拡大、縮小、回転又はドラッグ等の編集機能を制御することができる。
【００１７】
内部ページ様式内のデジタル写真選択のステップにおいては、内部ページ様式５０の選択が完了後、ユーザーがユーザーインターフェース３０で内部ページ様式５０の１つ以上の貼付プリフレーム５１を選ぶと、写真選択画面が起動され、ユーザーは選択したデジタル写真を貼付プリフレーム５１内に貼付し、選択されたデジタル写真は貼付プリフレーム５１のサイズに合わせて自動調整し、記録される。その後写真を現像する際、ユーザーが同じサイズを求めることができ、同一写真アルバム内でデジタル写真を再度編成するか否かを確認するために、選択したデジタル写真をマークする。
【００１８】
選択済みのデジタル写真の編集のステップにおいては、デジタル写真の選択が完了すると、図３に示すように、ユーザーがユーザーインターフェース３０で内部ページ様式５０の貼付プリフレーム５１に貼付したデジタル写真をクリックすると、写真編集制御部材６５を起動する。写真編集制御部材６５は、デジタル写真の拡大、縮小、文字の増減、絵筆、局部取込み、背景調整又は着色等の操作が可能で、取込みプリフレーム６１でデジタル写真上の必要な箇所を取込み、取り込んだ箇所を元の内部ページ様式５０の貼付プリフレーム５１に埋めて、使用写真７０を形成する。
【００１９】
保存のステップにおいては、内部ページ様式５０内のデジタル写真の編集が完了後、事前に編集し終えた内部ページ様式５０を保存すると共に、編集および修正が完了した使用写真７０を保存し、別途新しい保存アドレスにも保存する。それにより、端末の他のユーザーが、インターネットを介して遠隔保存および編集された内部ページ様式５０又は使用写真７０を観賞することができ、さらにデジタル写真アルバムの制作を完成させる。
【００２０】
また、内部ページ様式の選択又は内部ページ様式の編集のステップ、内部ページ様式内のデジタル写真選択のステップ、選択済みのデジタル写真の編集のステップ及び保存のステップが完了すると、ユーザーは写真現像のステップを追加し、使用写真７０が保存されるフォルダより使用写真７０をポータブル記憶装置にダウンロード又は転送保存し、デジタル写真館に送信して使用写真７０を既定の規格に応じて現像し、表示装置２０を参照にし、事前に編成された内部ページ様式５０をプリントアウトし、現像した写真を内部ページ様式に対応する写真アルバムに貼付すると、簡単且つ速やかに実際の写真アルバムの制作を完成させる。
【００２１】
本考案に係るアルバム制作システム及び制作のステップにより、市販の各規格の自動貼付アルバム、スケッチブックの様式に応じて事前に編集し、さらにイラストレーション、シール及びイベント当日の入場券、切符、心の手記で写真を引き立たせて、唯一無二のパーソナル写真アルバムを制作することができ、しかもユーザーは設計ソフトウェアの簡易編集機能により、内部ページ様式とデジタル写真とをユーザーの思いどおりに容易に組合せることができる。また、必要な写真を直接現像することができるため、ユーザーが自分の思いどおりの実際の写真アルバムを速やかに制作することができる。
【００２２】
また、本考案によるアルバム制作システムは、３Ｄカメラで撮影された３Ｄデジタル写真を使用した場合、３Ｄ表示效果を備えた表示装置によって３Ｄデジタル写真のアルバムを閲覧すると、３Ｄ效果のあるアルバムが現れる。
【００２３】
上述の実施形態は本考案の技術思想及び特徴を説明するためのものにすぎず、当該技術分野を熟知する者に本考案の内容を理解させると共にこれをもって実施させることを目的とし、本考案の特許範囲を限定するものではない。従って、本考案の思想を逸脱せずに行う各種の同様の効果をもつ改良又は変更は、すべて本考案の技術的範囲に含まれるものとする。
【符号の説明】
【００２４】
１０  ・・・処理装置、
１５  ・・・設計ソフトウェア、
２０  ・・・表示装置、
３０  ・・・ユーザーインターフェース、
４０  ・・・出力装置、
４１  ・・・プリント装置、
４２  ・・・記憶装置、
４３  ・・・インターネットを介した遠隔保存および表示およびプリント装置、
５０  ・・・内部ページ様式、
５１  ・・・貼付プリフレーム、
５５  ・・・内部ページ編成制御部材、
６１  ・・・取込みプリフレーム
６５  ・・・写真編集制御部材、
７０  ・・・使用写真。
【図１Ａ】
0003165538.tif 000003
【図１Ｂ】
0003165538.tif 000004
【図２】
0003165538.tif 000005
【図３】
0003165538.tif 000006
【図４】
0003165538.tif 000007
【図５】
0003165538.tif 000008